(57)【要約】【課題】難燃性があり、燃焼時に有毒な塩化ガスが発生せず、芯地と被覆層との結合の程度が良好で、汚れが付着しにくく、汚れが付着しても簡単に拭き取ることができる、公共交通乗物の吊手のベルト部分を構成する吊手用帯と、この吊手用帯を用いた吊手にする。【解決手段】公共交通乗物の吊手のベルト部分を構成する吊手用帯２を、帯状の芯地２１を熱可塑性ポリウレタンエラストマーによる被覆層２４で覆って構成した。【選択図】図２
2019112041.tif 000002
【特許請求の範囲】
【請求項１】
公共交通乗物の吊手のベルト部分を構成する吊手用帯であって、
合成繊維による縦糸と横糸とを高密度に織編成した帯状の芯地を、熱可塑性ポリウレタンエラストマーで被覆して構成したことを特徴とする吊手用帯。
【請求項２】
前記合成繊維は、ポリエステル又はナイロンの長繊維である、請求項１に記載の吊手用帯。
【請求項３】
前記熱可塑性ポリウレタンエラストマーは、ポリエステル系の熱可塑性ポリウレタンエラストマーである、請求項１又は２に記載の吊手用帯。
【請求項４】
前記熱可塑性ポリウレタンエラストマーは、ポリエーテル系の熱可塑性ポリウレタンエラストマーである、請求項１又は２に記載の吊手用帯。
【請求項５】
請求項１〜４のいずれかの吊手用帯とポリカーボネート製の手掛とを備え、前記手掛が前記吊手用帯に支持され、該吊手用帯の長さ方向の両端部が重ね合されて、この重ね合わせた両側面が、夫々座板が添えられビス留めされて連結されていることを特徴とする吊手。
【発明の詳細な説明】
【技術分野】
【０００１】  本発明は、難燃性があり、火災の際に有毒な塩化水素ガスが発生せず、芯地と被覆層との結合の程度が良好で、汚れが付着ににくく、汚れが付着しても簡単に拭き取り清掃ができる、公共交通乗物の吊手のベルト部分を構成する吊手用帯と、この吊手用帯を用いた吊手に関する。
【背景技術】
【０００２】  公共交通乗物用の吊手は、乗客が手で握る部分になる手掛と、該手掛を吊り下げるベルト部分（吊手用帯）とを主要構成部材としている。
従来型の吊手用帯は、特許文献１に見られるように、合成繊維の織布からなる帯状の芯地を軟質の塩化ビニル樹脂（ＰＶ）で被覆したものが大半である。
軟質の塩化ビニル樹脂で被覆した従来型の吊手用帯は、柔軟性と引っ張り強度に優れ、通常の使用において全く問題ないが、燃焼時に有毒の塩化水素が発生する。
このため、車両火災を想定したＢＳ（Ｂｒｉｔｉｓｈ  Ｓｔａｎｄａｒｄ）難燃規格が採用されることが多い海外向けの吊手では、軟質の塩化ビニル樹脂で被覆した従来型の吊手用帯はこの規格外となるおそれがある。【０００２】  最近では、合成繊維の縦糸と横糸とを織編成した帯生地だけによる吊手帯を備えた吊手も見られる。
しかしながら、この吊手帯は、帯生地表面に織り加工による凹凸が無数にある。
このため、この凹凸がある帯生地表面に汚れが付着すると、汚れが凹凸内に浸入して、洗剤や水を使用した拭き取りではこの汚れが除去できない状態になる。
【先行技術文献】
【特許文献】
【０００３】
【特許文献１】特開２０１１−１７８３７６号公報
【発明の概要】
【発明が解決しようとする課題】
【０００４】  本発明は、被覆層を熱可塑性ポリウレタンエラストマーとすることによって、車両火災が生じても有毒な塩化水素ガスが発生せず、芯地と被覆層との結合の程度が強く曲げやねじれにも強く、被覆層の表面に汚れが付着しにくく、汚れが付着しても簡単に拭き取ることが出来、摩耗減量が格段に少なく、低温屈曲と衝撃強度が強く、耐油性、耐薬品性、耐菌性にも優れる、公共交通乗物の吊手のベルト部分を構成する吊手用帯と、この吊手用帯を用いた吊手を提供することを解決課題とする。
【課題を解決するための手段】
【０００５】  請求項１に係る吊手用帯は、次の構成を備える。
（１）公共交通乗物の吊手のベルト部分を構成する吊手用帯である。
（２）この吊手用帯は、合成繊維による縦糸と横糸とを高密度に織編成した帯状の芯地を、熱可塑性ポリウレタンエラストマーで被覆して構成したものである。【０００６】  請求項２に係る吊手用帯は、次の構成を備える。
（１）請求項１に記載の構成を備えた吊手用帯である。
（２）前記合成繊維は、ポリエステル又はナイロンの長繊維である。【０００７】  請求項３に係る吊手用帯は、次の構成を備える。
（１）請求項１又は２に記載の構成を備えた吊手用帯である。
（２）前記熱可塑性ポリウレタンエラストマーは、ポリエステル系の熱可塑性ポリウレタンエラストマーである長繊維である。【０００８】  請求項４に係る吊手用帯は、次の構成を備える。
（１）請求項１又は２に記載の構成を備えた吊手用帯である
（２）前記熱可塑性ポリウレタンエラストマーは、ポリエーテル系の熱可塑性ポリウレタンエラストマーである長繊維である。【０００９】  本発明の各請求項に係る吊手用帯は、帯状の芯地を被覆している被覆層が、塩化ビニルではなく、熱可塑性ポリウレタンエラストマーで形成されている。
熱可塑性ポリウレタンエラストマーには、ポリエステル系と、ポリエーテル系とがあり、本発明に係る吊手用帯に使用されている被覆層は、ポリエステル系のものと、ポリエーテル系のものとがある。
ポリエステル系とポリエーテル系の熱可塑性ポリウレタンエラストマーは、いずれも燃焼時に有毒な塩素ガスが発生しない。しかも、手掛に掛け回して取り付けたときの曲げ、吊手を金属製横パイプに掛け回して吊り下げたときの曲げ、乗客の使用に伴うねじれにも十分に耐える柔軟性がある。
とくに、熱可塑性ポリウレタンエラストマーは、摩耗減量が塩化ビニルと比較して摩耗減量が格段に少ないため、積層厚を薄厚にすることが出来、このため、従来の吊手用帯の帯状の芯地よりも厚い丈夫な帯状の芯地を使用することができる。【００１０】  請求項５に係る吊手は、次の構成を備える。
（１）請求項１〜４のいずれかの吊手用帯とポリカーボネート製の手掛とを備える。
（２）前記手掛が前記吊手用帯に支持され、該吊手用帯の長さ方向の両端部が重ね合されて、この重ね合わせた両側面が、夫々座板が添えられビス留めされて連結されている。
【発明の効果】
【００１１】  本発明に係る吊手用帯は、帯状の芯地を被覆している被覆層を熱可塑性ポリウレタンエラストマーで形成した結果、火災時に有毒な塩素ガスが発生しない。
また、熱可塑性ポリウレタンエラストマーは、摩耗減量が塩化ビニルと比較して格段に少ないために被覆層の厚さを塩化ビニルよりも薄くすることができ、その分、帯状の芯地を従来よりも更に丈夫な厚地にすることができる。
この結果、厚地の帯状の芯地を熱可塑性ポリウレタンエラストマーで被覆した本発明に係る吊手帯の表面を汚れが付着しにくい円滑面にすることが出来、汚れが付着しても簡単に拭き取ることが出来る。【００１２】  本発明に係る吊手は、熱可塑性ポリウレタンエラストマーによる被覆層で帯状の芯地を被覆した吊手用帯を使用しているため、汚れが付着しにくく、汚れが付着しても簡単にふき取ることが出来る、丈夫な吊手にすることが出来る。
【図面の簡単な説明】
【００１３】
【図１】（ａ）は本発明１実施形態に係る吊手の正面図、（ｂ）は側面図。
【図２】本発明実施形態に係る吊手用帯を長さ方向と直交する幅方向から切断して示した拡大断面図。
【発明を実施するための形態】
【００１４】  本発明に係る吊手用帯と吊手の実施形態を以下の実施例において詳述する。
【実施例】
【００１５】  図１（ａ）（ｂ）に示す本発明実施形態に係る吊手１は、吊手用帯２と、リング型の手掛３と、鞘４と、留め具５とが組み付けられて構成されている。留め具５はねじ孔がある座板８と、ねじ９と、ねじ９の軸部を挿通させる孔がある座板１０との組み合わせで構成された従来品と同じものが使用されている。
本発明の吊手は、手掛３の形状と、鞘４の有無と形状等については問わない。【００１６】  図２に示すように、吊手用帯２は、と被覆材２４とを材料にしたもので構成されている。
芯地２１は、ポリエステル長繊維の縦糸２２と横糸２３とを高密度に織編成した、横幅が約２３ｍｍ、生地厚が０．５ｍｍから３ｍｍのベルト状の織布が用いられている。
各縦糸２２と横糸２３は、ポリエステル又はナイロンの長繊維の細糸群を縒り合せた糸が使用されている。芯地２１は、各縦糸２２と横糸２３とを高密度に平織り又は綾織りしたもので出来ている。【００１７】  被覆材２４，４は、ポリエステル系又はポリエーテル系の熱可塑性ポリウレタンエラストマーが用いられている。熱可塑性ポリウレタンエラストマーは、例えば、ＢＡＳＦジャパン株式会社が販売する商品名「エラストラン」（登録商標）が用いられる。軟質のこの商品は、ホース、エスカレータの手摺、パッキン、靴底等の素材として使用されている。【００１８】  この熱可塑性ポリウレタンエラストマーは、テーパー式Ｈ１８摩耗輪を使用した荷重１ｋｇ×２１，０００回転の摩耗試験による摩耗減量が４５ｍｇであり、軟質塩化ビニルの摩耗試験結果による４８５ｍｇの摩耗減量と比較して、摩耗減量が格段に少なく、低温屈曲と衝撃強度が強く、耐油性、耐薬品性、耐菌性に優れることから、吊手用帯の被覆材に向いていることが判明した。【００１９】  熱可塑性ポリウレタンエラストマーによる被覆厚さは、耐摩耗性に優れ、帯状の芯地の曲げや捩れに柔軟についていく柔軟性がある。
熱可塑性ポリウレタンエラストマーは、表面を円滑面にすることができるため、汚れが付着しにくく、汚れが付着しても簡単に拭き取ることができる帯手用帯や吊手になる。
【産業上の利用可能性】
【００２０】  本発明は公共交通乗物用の吊手の分野において利用される。
【符号の説明】
【００２１】１    吊手
２    吊手用帯
２１  芯地
２２  縦糸
２３  横糸
２４  被覆層（熱可塑性ポリウレタンエラストマー）
３    手掛
４    鞘
５    留め具
【図１】
2019112041.tif 000003
【図２】
2019112041.tif 000004